(57)【要約】      （修正有）【課題】木造建築に際し、木造建築の骨組み工程における柱の直立調整と耐震構造となる筋交い材を添設する工程において、能率的かつ正確に行う。【解決手段】木造建築工事に際しての耐震構造として、あらかじめ柱間隔に対して定尺寸法に裁断した木材で四角い木枠を作成し、縦桟と横桟で成る四隅を厳密な直角に保ち、対角線に斜め正確に筋交いを添設して固着した状態の木枠を素材とすれば、柱の直立調整と筋交いを施す工程が簡素化され、木造建築における壁面構造用の建材として工期の短縮と建築費の低廉化に役立つ。【選択図】図３
0003121319.tif 000002
【実用新案登録請求の範囲】
【請求項１】
１．木造建築において、あらかじめ柱間隔に合致する寸法に裁断した木材を四角に組合せて四隅を正確な直角に保った状態の木枠とし、その対角線に耐震構造となる筋交を正確に挿入して固着することを特徴とする構造を有し、木造の基本建築に適用できて壁面用建材となる構造用木枠。
【考案の詳細な説明】
【技術分野】
【０００１】  本考案は、木造建築において耐震構造となる筋交いを細工する段階に、あらかじめ定尺寸法に裁断した木材の要所を補助金具やボルト・ネジ・釘および接着剤等を用いて固着した状態の木枠を、木造建築の構造用素材として提供できる建材に関するものである。
【背景技術】
【０００２】  従来から木造建築をする場合、建物の揺れや自然に傾斜する応力に備えて、柱と柱を貫通する貫に加えて、随所の壁面に内蔵する筋交いを構造材として細工する。【０００３】  とくに近年、地震災害を防ぐため建築基準法の改正等により、木造建築物と云えども筋交いを用いるなど適切な耐震構造が重視され、純日本建築でも基本理念となっている。
【考案の開示】
【考案が解決しようとする課題】
【０００４】  木造建築において骨組みとなるものは、柱材、梁材、桁材、屋根桁材、柄材、屋根地材、貫材、筋交い材などであり、これらを多種多様な手作業で細工して組み合わせて建築する。【０００５】  この場合、それぞれに素材の木材は一様な寸法や方法で切り組みできるものでなく、相当に熟練を重ねた者でなければ正確に成し得ないものである。【０００６】  木造家屋の建築中、柱を垂直に保つための過程において、柱の上部から吊した糸に錘を垂らし、糸と柱の間隔を測定し糸と柱が平行になるように、精密に調整しながら柱の傾きを修正して貫を固着し、建物の直立を図ることが従来の一般的な方法である。【０００７】  上述の過程が終われば、最終的に筋交いを柱と柱の間に斜めかつ正確に嵌め込んで、鎹や釘などで固着し、建築後の建物の揺れや自然傾斜の応力に備える手順となるが、これらの方法で筋交いを施したのでは結合部分に緩みが生じやすい。【０００８】  この場合、既設の柱の高さや桁または梁の有様によって異なり、箇所別に嵌め込む筋交いの寸法も異なって、筋交い用の木材を正確に裁断することにも勘と熟練を要する。
【課題を解決するための手段】
【０００９】  この考案は、このように面倒な課題を解決するため、あらかじめ定尺に裁断した木材を用意し、平面四角に組み合わせた四隅を正確に直角を保って固着し、その対角線に正確な寸法で裁断した筋交い材を嵌め込んで固着した状態の木枠を用いることとする。【００１０】  従って木造建築に際し、この考案による多様な寸法の木枠を用意して建材とする。
【考案の効果】
【００１１】  この考案よる筋交いを伴った木枠を建材として用いることにより、木造建築の骨組みに際して柱の直立を調整したり筋交いを細工する行程が簡素化でき、柱の直立が自動的に確保され工期が短縮できる。【００１２】  この考案による木枠を組み合わせることにより、簡単に建物の直立状態が保持され、技術力に乏しい人、いわゆる日曜大工程度でも木造建築の直立に遜色がなくなり、建物の耐震強度も確保される。【００１３】  この考案による木枠は、従来は用途に乏しかった間伐材などを有効利用することができ、合理的な間伐材利用を促進し、一級品の柱材の浪費も節約できることとなる。【００１４】  従って、この考案の木枠を建材として用いることにより、木造による建築費の低廉化につながり、総建築費の節約にも役立つ。
【考案の実施するための最良の状態】
【００１５】  通常、この考案による木枠は、新間と旧間そして京間などの壁面に用いる場合の幅の寸法が異なるので、木造建築の柱間隔に適応するように製作し、大別して幅が約半間のものと約一間のものとなり、多様の寸法となる。
【００１６】  また幅の寸法は、汎用できるようにユーザーの要望に応じて、製作段階で注文の幅と高さに製作することとなるので最良の状態で提供でき、木造建築における柱の直立調整と筋交いを取り付ける工程の簡素化と精密さが促進できる。
【００１７】  この考案による木枠は、縦桟を合わせて接合することで断面正方形の柱の役目ができる寸法に製作するので、その分、通常の柱材を除外することができる。
【実施例】  以下、添付図面に従って実施例を説明する。【００１８】  １図は、本考案の木枠１の正面からの見取図であり、木枠１において筋交い２は、縦桟３と横桟４の接合点５から、縦桟６と横桟７の接合点８へ対角線を斜めに渡して、５と８、９と１０の接合点すべてを固着する。【００１９】  １図において、本考案の木枠は四隅の接合点５、１０、９、８で、縦桟と横桟が直角に接合されているかを確かめた後、それぞれに横桟、縦桟、筋交いを補助桟１１で１３、１４、１５および補助桟１２で１６、１７、１８をボルトおよびネジや接着剤などで固着する。【００２０】  ３図において、この考案の木枠１を設置する場合、ほぞ１９、２０は水平な土台桁２１のほぞ穴１９’２０’に結合し、ほぞ２２、２３は桁２４のほぞ穴２２’２３’に結合することで横方向が直立する。【００２１】  従って、この木枠の正面に対して直角方向に接合することによって建物の四方が直立し、確実かつ簡単に木造建築の骨組みの基本が造形できる。【００２２】  ３図において、この考案の木枠１に対して木枠２５を接合する場合は、木枠２５の縦桟２６を木枠１の縦桟３に接着剤を塗布して連結用ボルト２７で締め付けることにより強固に固着できるので縦桟が柱材として活用できる。そのほか３基以上連設する場合も同様の要領による。【００２３】  また３図において、この考案の木枠１を既設の柱２８に添設する場合は、木枠１のほぞ２０を土台桁のほぞ穴２０’へ、ほぞ２２を桁のほぞ穴２２’に挿入し、木枠１の縦桟６に接着剤を塗布して、連結用ネジ２９で締め付けることで柱２８へ強固に固着できる。【００２４】  さらに３図において、この考案の木枠１を窓下部分などに添設する場合は、木枠３２の如く横方向に用いて、既設の柱２８のほぞ穴３４’および３５’に木枠３２のほぞ３４および３５を挿入し、木枠３２の横桟３３に接着剤を塗布して、ネジ３６で締め付けることにより柱２８へ強固に固着でき、木枠３２の縦桟３７に接着剤を塗布して土台桁２１にネジ３８で締め付けることで土台桁２１と強固に固着できる。【００２５】  いずれにしても、この考案の木枠の設置する方向を勘案すれば筋交いの効き方向を変えることができるので、設置の際に向きを選ぶことにより建物の適切な耐震効果を保つこととなるが、施工にあたっては、すべての基礎土台３１および土台桁２１が厳密に水平であることが必須条件である。
【図面の簡単な説明】
【００２６】
【図１】筋交いを固着した木造建築構造用木枠の正面の見取図である。
【図２】筋交いを固着した木造建築構造用木枠の側面の見取図である。
【図３】筋交いを固着した木造建築構造用木枠を施工した正面の見取図である。
【図４】筋交いを固着した木造建築構造用木枠を施工した上面の見取図である。
【符号の説明】
【００２７】    １    筋交いを固着した木造建築構造用木枠。
２    木枠１の筋交い。
３．６    木枠１の縦桟。
４．７    木枠１の横桟。
５    縦桟３と横桟４の結合点。
８    木枠１の縦桟６と横桟７の接合点。
９    木枠１の縦桟３と横桟７の接合点。
１０    木枠１の縦桟６と横桟４の接合点。
１１．１２    補助桟。
１３．１４．１５    補助桟１１で連結する部位。
１６．１７．１８    補助桟１２で連結する部位。
１９．２０    土台桁２１に結合するためのほぞ部分。
２１    土台桁。
１９’２０’    土台桁２１のほぞ穴の部位。
２２．２３    桁２４に結合するためのほぞ部分。
２４    桁。
２２’２３’    桁２４のほぞ穴の部位。
２５    木枠１に連設する筋交いを固着した木造建築構造用木枠。
２６    木枠１に連設する筋交いを固着した木造建築構造用木枠２５の縦桟。
２７    連結用ボルト。
２８    既設の柱。
２９    連結用ネジ。
３０    貫を挿入する穴。
３１    木造建築の基礎土台。
３２    柱２８に対し横向きに連設する筋交いを固着した木造建築構造用木枠。
３３    木枠３２の横桟。
３４．３５    木枠３２のほぞ。
３４’３５’    木枠３２のほぞを挿入するほぞ穴の部位。
３６    連結用ネジ。
３７    木枠３２の縦桟。
３８    連結用ネジ。
【図１】
0003121319.tif 000003
【図２】
0003121319.tif 000004
【図３】
0003121319.tif 000005
【図４】
0003121319.tif 000006